(57)【特許請求の範囲】
【請求項１】
基準となる不整脈波形に対する複数のペースマップ波形の類似度、及び、基準となるペースマップ波形に対する複数の不整脈波形の類似度を算出する類似度算出部と、
前記類似度の順に前記複数のペースマップ波形を並べて表示する、及び又は、前記類似度の順に前記不整脈波形を並べて表示する表示部と、
を備え、
前記類似度の順に前記複数のペースマップ波形を並べて表示するか、前記類似度の順に前記不整脈波形を並べて表示するかを切り替え可能である、
心電図検査装置。
【請求項２】
前記表示部は、前記類似度の最も高い前記ペースマップ波形を前記基準となる前記不整脈波形に隣接して表示し、及び又は、前記類似度の最も高い前記不整脈波形を前記基準となる前記ペースマップ波形に隣接して表示する、
請求項１に記載の心電図検査装置。
【請求項３】
前記基準となる不整脈波形、又は、前記基準となるペースマップ波形は、ユーザーによって選択可能である、
請求項１又は請求項２に記載の心電図検査装置。
【請求項４】
コンピュータに、
基準となる不整脈波形に対する複数のペースマップ波形の類似度、及び、基準となるペースマップ波形に対する複数の不整脈波形の類似度を算出する類似度算出ステップと、
前記類似度の順に前記複数のペースマップ波形を並べて表示する、及び又は、前記類似度の順に前記不整脈波形を並べて表示させる表示制御ステップと、
前記類似度の順に前記複数のペースマップ波形を並べて表示するか、前記類似度の順に前記不整脈波形を並べて表示するかを切り替え可能とするステップと、
を実行させるプログラム。
【発明の詳細な説明】
【技術分野】
【０００１】
本発明は、不整脈波形と電気刺激を与えたときのペースマップ波形とを同一画面に同時に表示する、心電図検査装置に関する。
【背景技術】
【０００２】
現在、心室頻拍（ＶＴ）や多発する心室期外収縮（ＶＰＣ）等の頻脈性不整脈に対して、心筋を焼灼（アブレーション）して頻脈性不整脈の発生を抑えるという治療が行われている。この際、心臓の各部位を電気刺激し、自然発生した頻脈性不整脈の心電波形である不整脈波形と、各部位を電気刺激したときに現れる心電波形であるペースマップ波形（ペーシング波形と言ってもよい）とを比較し、不整脈波形と同一又は似たペースマップ波形が得られた電気刺激部位をアブレーションする部位として選択する。因みに、心電波形としては、例えば体表面１２誘導心電図が用いられる。
【０００３】
このような、不整脈波形とペースマップ波形とを利用した例を、図１を用いて説明する。ディスプレイの同一画面上に不整脈波形Ｗ１とペースマップ波形Ｗ２とを同時に表示する。不整脈波形Ｗ１とペースマップ波形Ｗ２が似ていると判断したときに、医師は電気刺激した部位がＶＰＣ等の起源であると判断し、その部位をアブレーションする。また、装置により算出された不整脈波形Ｗ１とペースマップ波形Ｗ２との類似度がディスプレイに表示され（図１の「９４．３」、「９６．１」………）、医師はこの類似度を参照してその部位をアブレーションするか否かの判断を行う。このような不整脈波形とペースマップ波形とを利用した技術については、例えば特許文献１に記載されている。
【先行技術文献】
【特許文献】
【０００４】
【特許文献１】特開２００６−０２５８３６号公報
【発明の概要】
【発明が解決しようとする課題】
【０００５】
ところで、心臓の異常部位の検査は、心臓の各刺激部位に応じた複数のペースマップ波形を不整脈波形と比較することで行う。このため、比較に要する時間が長くなり、結果として検査時間が長くなる欠点がある。加えて、心臓の異常部位が複数箇所存在する場合には、複数種類の不整脈波形が存在することとなり、このような場合には比較対象も増えるため、一層検査時間が長くなる。
【０００６】
本発明は、以上の点を考慮してなされたものであり、心臓の異常部位を検査するための検査時間を短縮できる、心電図検査装置を提供する。
【課題を解決するための手段】
【０００７】
本発明の心電図検査装置の一つの態様は、
基準となる不整脈波形に対する複数のペースマップ波形の類似度、及び、基準となるペースマップ波形に対する複数の不整脈波形の類似度を算出する類似度算出部と、
前記類似度の順に前記複数のペースマップ波形を並べて表示する、及び又は、前記類似度の順に前記不整脈波形を並べて表示する表示部と、
を備え、
前記類似度の順に前記複数のペースマップ波形を並べて表示するか、前記類似度の順に前記不整脈波形を並べて表示するかを切り替え可能である。
【発明の効果】
【０００８】
本発明によれば、医療従事者に、不整脈波形とペースマップ波形との類似度の関係を一括して見易い形で提供でき、この結果、医療従事者は心臓の異常部位を把握し易くなり、心臓の異常部位を検査するための検査時間を短縮できるようになる。
【図面の簡単な説明】
【０００９】
【図１】従来の不整脈波形とペースマップ波形の表示例を示す図
【図２】実施の形態に係るポリグラフの全体構成を示す概略図
【図３】実施の形態における不整脈波形とペースマップ波形の表示例を示す図
【図４】実施の形態における不整脈波形とペースマップ波形の表示例を示す図
【図５】不整脈波形の取り込み画面を示す図
【図６】不整脈波形の取り込み画面を示す図
【図７】ペースマップ波形の取り込み画面を示す図
【図８】ペースマップ波形の取り込み画面を示す図
【図９】実施の形態による表示を実現するための構成を示すブロック図
【発明を実施するための形態】
【００１０】
以下、本発明の実施の形態について、図面を参照して詳細に説明する。
【００１１】
＜ポリグラフの全体構成＞
図２は、本実施の形態によるポリグラフ１００の全体構成を示す外観図である。本実施の形態のポリグラフ１００は、心臓カテーテル用検査装置として用いられるポリグラフである。また、ポリグラフ１００は、体表面心電図及び心内心電図を計測及び解析する機能を有する。このため、ポリグラフ１００は心電図検査装置と呼ぶこともできる。
【００１２】
ポリグラフ１００は、本体ユニット２００と、インターフェースユニット３００と、ＥＰＳ（Electrophysiological Study：電気生理学的検査）ユニット４００と、を有する。本体ユニット２００とインターフェースユニット３００はケーブルＬ１によって接続されており、インターフェースユニット３００とＥＰＳユニット４００はケーブルＬ２によって接続されている。なお、図では、インターフェースユニット３００を介して本体ユニット２００とＥＰＳユニット４００を接続した例を示しているが、本体ユニット２００とＥＰＳユニット４００をケーブルＬ２によって直接接続してもよい。
【００１３】
本体ユニット２００には、専用キーボード１１、キーボード１２、マウス１３等の入力装置１０と、複数のディスプレイ２０（２１、２２、２３）と、サーマルレコーダ３０等の記録装置と、が接続されている。また、本体ユニット２００には、インターフェースユニット３００が接続されている。本体ユニット２００は、ポリグラフ１００の中央処理ユニットとしての機能を有する。本体ユニット２００は、インターフェースユニット３００を介して入力した各生体情報に対してプログラムに従った演算処理や解析処理を施すことにより、各生体情報を所望の表示形態でディスプレイ２０に表示する。また、本体ユニット２００は、入力装置１０から入力された操作信号に基づいて、各生体情報の表示形態や、インターフェースユニット３００及びＥＰＳユニット４００、並びにそれらに接続される各装置の動作を制御するようになっている。
【００１４】
インターフェースユニット３００は、ＥＣＧ（心電図）用入力端子、非観血血圧用入力端子、ＳｐＯ２用入力端子及び体温用入力端子などからなる生体情報入力端子群３１０を有する。また、インターフェースユニット３００は、ＥＣＧ用出力端子３１１及び観血血圧用出力端子３１２を有する。また、インターフェースユニット３００は、専用キーボードを接続するための入力端子３１３等を有する。
【００１５】
インターフェースユニット３００には、アンプが内蔵されており、生体情報入力端子群３１０から入力された所定の信号はアンプによって増幅された後に本体ユニット２００に出力される。
【００１６】
ＥＰＳユニット４００は、刺激用のケーブルが接続される端子４１１、アブレーター用のケーブルが接続される端子４１２を有し、ＥＰＳユニット４００は、これらの端子４１１、４１２を介して刺激装置（図示せず）及びアブレーター装置（図示せず）と接続される。また、ＥＰＳユニット４００は、体表面心電図用入力端子４１３を有し、この端子４１３には被検者の体表に装着された電極が接続される。これにより、刺激装置によって心臓の所定部位に刺激を与えたときの体表面心電図を得ることができる。本実施の形態の場合には、体表面心電図用入力端子４１３には１２誘導心電図を得るための電極が接続される。
【００１７】
さらに、ＥＰＳユニット４００は、中継ボックス５００、５１０が接続される端子４１４、４１５を有する。各中継ボックス５００、５１０には、電極カテーテルに設けられた各電極に対応する端子を接続するための多数の端子６００が設けられている。
【００１８】
本実施の形態の場合には、１つの中継ボックス５００（５１０、５２０、５３０）に双極で４０チャネル（つまり８０個の端子６００）が設けられている。ＥＰＳユニット４００は２つの中継ボックス５００、５１０を接続できるようになっており、従ってＥＰＳユニット４００は８０（＝２×４０）チャネル分の心内心電波形を入力可能とされている。
【００１９】
さらに、ＥＰＳユニット４００には、拡張用のＥＰＳユニット４１０が接続可能とされている。拡張用ＥＰＳユニット４１０も２つの中継ボックス５２０、５３０を接続できるようになっており、従ってＥＰＳユニット４００は拡張用ＥＰＳユニット４１０を接続すれば、１６０（＝４×４０）チャネル分の心内心電波形の信号を入力することができる。
【００２０】
ＥＰＳユニット４００および拡張用のＥＰＳユニット４１０には、アンプが内蔵されており、中継ボックス５００、５１０、５２０、５３０から入力された心内心電波形はアンプによって増幅された後、インターフェースユニット３００を介して本体ユニット２００に送出される。また、刺激用のケーブルが接続される端子４１１から入力された刺激装置（図示せず）からの刺激信号は中継ボックス５００（５１０、５２０、５３０）を介して電極カテーテル（図示せず）に出力される。さらに、電極カテーテルから心臓へと実際に与えられた刺激信号に基づく刺激波形は、心内心電波形と共にＥＰＳユニット４００および拡張用のＥＰＳユニット４１０のアンプによって増幅された後、インターフェースユニット３００を介して本体ユニット２００に送出される。また、ＥＰＳユニット４００は、ＥＣＧ用出力端子４１６、スピーカ４１７を有する。
【００２１】
＜不整脈波形及びペースマップ波形の表示＞
図３は、本実施の形態による不整脈波形及びペースマップ波形の表示例を示す図である。図３の画像は、ディスプレイ２０（つまりディスプレイ２１、２２、２３のいずれか）に表示される。因みに、不整脈波形とは患者に電気刺激を与えない状態で得られる異常興奮の体表面心電波形であり、ペースマップ波形とは患者の心臓の所定部位に電気刺激を与えて意図的に異常興奮を発生させたときに得られる異常興奮の体表面心電波形である。不整脈波形及びペースマップ波形は、ＥＰＳユニット４００の体表面心電図用入力端子４１３に接続された電極を用いて計測される。なおこれに限らず、不整脈波形をインターフェースユニット３００の生体情報入力端子群３１０の中のＥＣＧ（心電図）用入力端子に接続された電極を用いて計測してもよい。
【００２２】
図３に示すように、本実施の形態では、同一画面内に、複数の不整脈波形表示領域Ｆ１、Ｆ２、Ｆ３、Ｆ４と、複数のペースマップ波形表示領域Ｐ１、Ｐ２、Ｐ３、Ｐ４とを、配置するようになっている。より詳細には、不整脈波形表示領域ＦＡと、ペースマップ波形表示領域ＰＡとが横方向に並んで配置され、不整脈波形表示領域ＦＡには複数の不整脈波形表示領域Ｆ１、Ｆ２、Ｆ３、Ｆ４が表示され、ペースマップ波形表示領域ＰＡには複数のペースマップ波形表示領域Ｐ１、Ｐ２、Ｐ３、Ｐ４が配置される。
【００２３】
加えて、画面には並べ替えボタンＳＢが表示される。本実施の形態の場合、並べ替えボタンＳＢとして、スコア順並べ替えボタンＳ１、Ｓ２、時系列順並べ替えボタンＳ３が表示される。
【００２４】
図３に示すように、ユーザーによってスコア順並べ替えボタンＳ１が選択操作されると（この選択操作は、例えば、カーソルをスコア順並べ替えボタンＳ１に合わせてマウスをクリックする操作でもよいし、ディスプレイ２０がタッチパネル構成の場合には、スコア順並べ替えボタンＳ１をタッチする操作でもよい）、不整脈波形表示領域Ｆ１の不整脈波形＃５を基準に、ペースマップ波形＃８、＃５、＃３、＃２が類似度の高い順に並べて表示される。図３の例では、不整脈波形表示領域Ｆ１の不整脈波形＃５と、各ペースマップ波形＃８、＃５、＃３、＃２の類似度は＃８→＃５→＃３→＃２の順に高いので、ペースマップ波形表示領域Ｐ１、Ｐ２、Ｐ３、Ｐ４には、この順にペースマップ波形が表示されている。
【００２５】
因みに、類似度は完全に一致したときを「１００」とし、正負反対のものは「−」で表される。１２誘導心電波形の各波形間で類似度が算出され、１２個の類似度の平均値が不整脈波形＃５に対する各ペースマップ波形＃８、＃５、＃３、＃２の類似度スコアとされる。図３の例では、不整脈波形＃５に対する各ペースマップ波形＃８、＃５、＃３、＃２の類似度スコアは、それぞれ、「８７」、「３２」、「３１」、「３１」となっている。
【００２６】
図４に示すように、ユーザーによってスコア順並べ替えボタンＳ２が選択操作されると、ペースマップ波形表示領域Ｐ１のペースマップ波形＃１２を基準に、不整脈波形＃９、＃５、＃４、＃３が類似度の高い順に並べて表示される。図４の例では、ペースマップ波形表示領域Ｐ１のペースマップ波形＃１２と、各不整脈波形＃９、＃５、＃４、＃３の類似度は＃９→＃５→＃４→＃３の順に高いので、不整脈波形表示領域Ｆ１、Ｆ２、Ｆ３、Ｆ４には、この順に不整脈波形が表示されている。図４の例では、ペースマップ波形＃１２に対する各不整脈波形＃９、＃５、＃４、＃３の類似度スコアは、それぞれ、「１００」、「３３」、「３２」、「３２」となっている。
【００２７】
また、ユーザーによって時系列順並べ替えボタンＳ３が選択操作されると、複数の不整脈波形及び複数のペースマップ波形が、計測された時間順に表示されるようになっている（図示せず）。このように不整脈波形及びペースマップ波形を時間順に並べることもできるようにしたことにより、例えば、医療従事者は、不整脈波形及びペースマップ波形の時間的な前後関係を見ながら、異常箇所の判断や、基準となる不整脈波形、ペースマップ波形の選択を行うことができるようになる。
【００２８】
次に、類似度を算出する対象の不整脈波形及びペースマップ波形を取り込んでから、図３及び図４に示すような表示を行うまでの動作について説明する。
【００２９】
まず、不整脈１が発生すると、その不整脈波形を取り込む。具体的には、図５のような画面において、ユーザーが画面右側の１２誘導心電波形中で不整脈が発生していると判断した時点を指定すると、その時点の波形（例えば指定された時点を含む１秒幅の波形）が不整脈波形＃１として本体ユニット２００に記憶される。図５の例では、この取り込まれた不整脈波形＃１が画面左側に表示される。
【００３０】
次に、不整脈２が発生すると、その不整脈波形を取り込む。具体的には、図６のような画面において、ユーザーが画面右側の１２誘導心電波形中で不整脈が発生していると判断した時点を指定すると、その時点の波形（例えば指定された時点を含む１秒幅の波形）が不整脈波形＃２として本体ユニット２００に記憶される。図６の例では、この取り込まれた不整脈波形＃２が画面左側に表示される。
【００３１】
以降同様にして、不整脈が発生したら、本体ユニット２００に不整脈波形＃３、＃４、………を取り込んで記憶する。
【００３２】
次に、カテーテルを心臓内に留置し、刺激装置によるペーシングを行い、ペースマップ波形１を取り込む。具体的には、図７のような画面において、ユーザーが画面右側の１２誘導心電波形中でペースマップ波形が現れていると判断した時点を指定すると、その時点の波形（例えば指定された時点を含む１秒幅の波形）がペースマップ波形＃１として本体ユニット２００に記憶される。図７の例では、この取り込まれたペースマップ波形＃１が画面左側に表示される。
【００３３】
次に、刺激装置による刺激位置を変えたペーシングを行い、ペースマップ波形２を取り込む。具体的には、図８のような画面において、ユーザーが画面右側の１２誘導心電波形中でペースマップ波形が現れていると判断した時点を指定すると、その時点の波形（例えば指定された時点を含む１秒幅の波形）がペースマップ波形＃２として本体ユニット２００に記憶される。図７の例では、この取り込まれたペースマップ波形＃２が画面左側に表示される。
【００３４】
以降同様にして、刺激装置による刺激位置を変えながら、本体ユニット２００にペースマップ波形＃３、＃４、………を取り込んで記憶する。
【００３５】
このように、不整脈波形及びペースマップ波形を取り込むと、次にユーザーは、図３及び図４に示したようなテンプレートマッチング一覧画面を表示する。
【００３６】
図３は、不整脈波形（＃５）を基準にして、ペースマップ波形が類似度スコア順に並べて表示されたものであり、医療従事者は、ペースマップ波形（＃８）が類似度スコア８７でマッチングが良い波形だと判断できる。この結果、医療従事者は、ペースマップ波形（＃８）が得られた刺激位置を、異常興奮の発生部位と判断し、アブレーションの対象と判断する。
【００３７】
図４は、ペースマップ波形（＃１２）を基準にして、不整脈波形が類似度スコア順に並べて表示されたものであり、医療従事者は、不整脈波形（＃９）が類似度スコア１００でマッチングが良い波形だと判断できる。
【００３８】
なお、ユーザーは、基準となる不整脈波形、基準となるペースマップ波形を、選択することができる。具体的には、本実施の形態の場合には、不整脈波形表示領域Ｆ１に配置した不整脈波形を基準となる不整脈波形とし、ペースマップ波形表示領域Ｐ１に配置したペースマップ波形を基準となるペースマップ波形としているので、ユーザーはこの不整脈波形表示領域Ｆ１及びペースマップ波形表示領域Ｐ１に配置する不整脈波形及びペースマップ波形を選択することで、基準波形を選択できるようになっている。
【００３９】
具体的には、ユーザーが不整脈波形表示領域Ｆ１の上方に表示された波形選択ボタンＲ１を操作すると、候補となる不整脈波形の名前（＃１、＃２………）が表示され、ユーザーがその中から所望の不整脈波形の名前（＃１、＃２………）を選択すると、選択した不整脈波形が不整脈波形表示領域Ｆ１に配置され、それが基準の不整脈波形とされる。
【００４０】
同様に、ユーザーがペースマップ波形表示領域Ｐ１の上方に表示された波形選択ボタンＲ２を操作すると、候補となるペースマップ波形の名前（＃１、＃２………）が表示され、ユーザーがその中から所望のペースマップ波形の名前（＃１、＃２………）を選択すると、選択したペースマップ波形がペースマップ波形表示領域Ｐ１に配置され、それが基準のペースマップ波形とされる。
【００４１】
図９に、図３及び図４に示したような本実施の形態による表示を実現するための構成を示す。
【００４２】
不整脈波形記憶部２０１、ペースマップ波形記憶部２０２、表示制御部２０３、類似度算出部２０４及び順位付け部２０５は、本体ユニット２００に設けられている。
【００４３】
不整脈波形記憶部２０１には、ＶＰＣなどの心臓異常時の心電波形が不整脈波形として記憶されている。ペースマップ波形記憶部２０２には、刺激装置によって心臓の各検査部位に電気刺激を与えたときの心電波形がペースマップ波形として記憶されている。図２のポリグラフ１００では、ＥＰＳユニット４００に接続された１２誘導心電図用電極からの電気信号に基づいて得た１２誘導心電波形が、不整脈波形及びペースマップ波形としてそれぞれ不整脈波形記憶部２０１及びペースマップ波形記憶部２０２に記憶される。なお、不整脈波形記憶部２０１に記憶される不整脈波形は、ポリグラフ１００によって測定されたものに限らず、他の心電計によって予め測定された心臓異常時の心電波形であってもよい。
【００４４】
不整脈波形記憶部２０１には、１つ以上の不整脈波形が記憶される。つまり、異常部位が異なると心電波形が異なるので、異常部位が複数ある場合には、それぞれの異常部位に対応した複数の心電波形が不整脈波形として記憶される。同様に、ペースマップ波形記憶部２０２には、１つ以上のペースマップ波形が記憶される。つまり、電気刺激を与える部位が異なると心電波形が異なるので、電気刺激を与えた部位が複数ある場合には、それぞれの刺激部位に対応した複数の心電波形がペースマップ波形として記憶される。
【００４５】
なお、本実施の形態では、１２誘導心電波形の１２個の波形は、誘導にかかわらず、１つの不整脈波形、１つのペースマップ波形と定義しており、１２個の波形と定義しているのではないので注意されたい。
【００４６】
類似度算出部２０４は、ユーザーにより指定された１つの不整脈波形又は１つのペースマップ波形を基準波形にして、その基準波形に対する複数のペースマップ波形又は複数の不整脈波形の類似度を算出する。
【００４７】
順位付け部２０５は、類似度算出部２０４によって得られた類似度に基づいて、複数のペースマップ波形又は複数の不整脈波形を順位付けする。
【００４８】
表示制御部２０３は、順位付け部２０５によって順位付けされた順にペースマップ波形又は不整脈波形が並んで表示されるようにディスプレイ２０を制御する。
【００４９】
以上説明したように、本実施の形態によれば、基準となる不整脈波形に対する複数のペースマップ波形の類似度又は基準となるペースマップ波形に対する複数の不整脈波形の類似度を算出し、類似度の順に複数のペースマップ波形を並べて表示する又は類似度の順に不整脈波形を並べて表示するようにしたことにより、医療従事者に、不整脈波形とペースマップ波形との類似度の関係を一括して見易い形で提供でき、この結果、医療従事者は心臓の異常部位を把握し易くなり、心臓の異常部位を検査するための検査時間を短縮できるようになる。
【００５０】
例えば不整脈波形とペースマップ波形とを１つずつ比較しながら異常部位を判断する場合と比較して、検査時間を短縮することができる。また、臨床の現場では、比較する対象が複数表示されていた方が比べ易いといったメリットもある。
【００５１】
さらに、順位付けされた複数のペースマップ波形又は不整脈波形が表示されるので、医療従事者は、異常部位か否かの判断をよりし易くなる。例えば、順位付けされたペースマップ波形のうち、最も類似度の高いペースマップ波形の類似度が１００であり、次に類似度が高いペースマップ波形の類似度が２０といったように、急激に類似度が下がっている場合には、最も類似度の高いペースマップ波形が得られた刺激位置を、その不整脈の起源であると確信をもって判断できるようになる。これに対して、最も類似度の高いペースマップ波形の類似度が５０であり、次に類似度が高いペースマップ波形の類似度が４０といったように、類似度にあまり差が無い場合には、最も類似度の高いペースマップ波形が得られた刺激位置を、その不整脈の起源と断定するのは早急であると判断できるようになる。例えば、順位付けされたペースマップ波形の類似度の差が小さい場合には、複数の異常部位を起源とする不整脈のおそれがあると判断できる。
【００５２】
また、図３に示したように、類似度の最も高いペースマップ波形＃８を基準となる不整脈波形＃５に隣接して表示し、図４に示したように、類似度の最も高い不整脈波形＃９を基準となるペースマップ波形＃１２に隣接して表示したことにより、複数の波形のうち重要度が最も高い類似度の最も高い波形を、基準波形と容易に見比べて比較できるようになるので、より異常部位を把握し易くなる。
【００５３】
なお、上述の実施の形態では、同一画面上に同時に表示する不整脈波形及びペースマップ波形を４つずつとした場合について述べたが、勿論これに限らない。例えば不整脈波形を２つ、ペースマップ波形を５つ同一画面上に同時に表示するようにしてもよい。また、類似度の基準となる不整脈波形又はペースマップ波形は１つのみ表示してもよい。
【００５４】
また、上述の実施の形態では、本発明の心電図検査装置における表示方法をポリグラフ１００に適用した場合について述べたが、ポリグラフ１００以外の心電図検査装置にも広く適用可能である。
【００５５】
また、上述の実施の形態では、本発明をハードウェアで実現する場合を例にとって説明したが、本発明はハードウェアとの連携においてソフトウェアでも実現することも可能である。
【００５６】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００５７】
本発明は、心臓異常時の不整脈波形と電気刺激を与えたときのペースマップ波形とを同一画面に同時に表示する、心電図検査装置に適用し得る。
【符号の説明】
【００５８】
１０  入力装置
２０  ディスプレイ
１００  ポリグラフ
２００  本体ユニット
２０１  不整脈波形記憶部
２０２  ペースマップ波形記憶部
２０３  表示制御部
２０４  類似度算出部
２０５  順位付け部
３００  インターフェースユニット
４００  ＥＰＳ（Electrophysiological Study：電気生理学的検査）ユニット
５００、５１０、５２０、５３０  中継ボックス
Ｆ１、Ｆ２、Ｆ３、Ｆ４、ＦＡ  不整脈波形表示領域
Ｐ１、Ｐ２、Ｐ３、Ｐ４、ＰＡ  ペースマップ波形表示領域
【図１】
0006646372.tif 000002
【図２】
0006646372.tif 000003
【図３】
0006646372.tif 000004
【図４】
0006646372.tif 000005
【図５】
0006646372.tif 000006
【図６】
0006646372.tif 000007
【図７】
0006646372.tif 000008
【図８】
0006646372.tif 000009
【図９】
0006646372.tif 000010